(57)【要約】【課題】複数種の母乳収容袋を容易に接続し、かつ、その脱落を防止できる搾乳器本体と母乳収容袋との接続構造を提供すること。【解決手段】ボトルを着脱可能な着脱部２８を有する搾乳器本体２１と、ボトルを外した状態で搾乳器本体２１に接続される母乳収容袋１０との接続構造であって、搾乳器本体２１の少なくとも着脱部２８の下端部２８Ｂは、大きさの異なる複数の母乳収容袋１０の夫々の母乳の注入口３１に挿入可能な大きさとされており、搾乳器本体２１の挿入する部分である挿入部ＮＳの外側に配置された母乳収容袋１０を、挿入部ＮＳと協働して、重力方向と交差する方向に沿って挟持する挟持体３３を有することを特徴とする。【選択図】図２
2018117884.tif 000002
【特許請求の範囲】
【請求項１】
ボトルを着脱可能な着脱部を有する搾乳器本体と、前記ボトルを外した状態で前記搾乳器本体に接続される母乳収容袋との接続構造であって、
前記搾乳器本体の少なくとも前記着脱部の下端部は、大きさの異なる複数の前記母乳収容袋の夫々の母乳の注入口に挿入可能な大きさとされており、
前記搾乳器本体の前記挿入する部分である挿入部の外側に配置された前記母乳収容袋を、前記挿入部と協働して、重力方向と交差する方向に沿って挟持する挟持体を有する
ことを特徴とする搾乳器本体と母乳収容袋との接続構造。
【請求項２】
前記挟持した状態において、前記挟持体の前記重力方向への移動を規制する規制部が前記挿入部の外面に形成されていることを特徴とする請求項１に記載の搾乳器本体と母乳収容袋との接続構造。
【請求項３】
前記挟持体は、前記挟持する方向に弾性力を有することを特徴とする請求項１又は２に記載の搾乳器本体と母乳収容袋との接続構造。
【請求項４】
前記挟持体は、前記母乳収容袋を介して前記挿入部を挟むようにした一対の挟持片を有し、
前記一対の挟持片は、一方が互いに連結した連結部であり、他方が互いに連結していない非連結部である
ことを特徴とする請求項１〜３のいずれかに記載の搾乳器本体と母乳収容袋との接続構造。
【請求項５】
前記連結部と接続することで前記挟持体を支持する支持アダプターを有し、
前記支持アダプターは、前記挟持体を介して前記搾乳器本体を支持することで、前記母乳収容袋を略垂下可能である
ことを特徴とする請求項４に記載の搾乳器本体と母乳収容袋との接続構造。
【請求項６】
前記挟持体は、前記搾乳器本体の前記挿入部以外の部分を囲むことができる略リング状部を有し、前記挿入部に対して接近離間する方向にスライド可能であることを特徴とする請求項１〜３のいずれかに記載の搾乳器本体と母乳収容袋との接続構造。
【請求項７】
前記挟持体は、前記挟持する方向の外側に比べて内側が柔軟性を有することを特徴とする請求項１〜６のいずれかに記載の搾乳器本体と母乳収容袋との接続構造。
【請求項８】
前記挟持体は、前記母乳収容袋を介して前記挿入部を挟むようにした一対の挟持片を有し、
前記一対の挟持片は、その両端部が互いに連結し、かつ、互いに接近及び離間する方向に弾性力を発揮する板バネである
ことを特徴とする請求項１〜３に記載の搾乳器本体と母乳収容袋との接続構造。
【発明の詳細な説明】
【技術分野】
【０００１】
本発明は、搾乳した母乳を入れる母乳収容袋を搾乳器本体に接続するための接続構造に関する。
【背景技術】
【０００２】
搾乳した母乳を後で乳児に飲ませる場合や、乳房から直接授乳できない場合などに、母乳を保存したり一旦収容したりする母乳収容袋（母乳保存袋、等ともいう）が用いられる。この際、搾乳器本体に母乳収容袋を接続し、搾乳器本体で搾乳しながら、その母乳を母乳収容袋に注入することが行われている。特許文献１は、この搾乳器本体に対する母乳収容袋の接続構造に関する。
【０００３】
この特許文献１では、その図５に示されるように、母乳収容袋２０を搾乳器本体３０に接続する際、母乳排出口３０ａに接続していたボトルを取り外し、そのままでは母乳収容袋２０は接続できないので、母乳排出口３０ａに補助筒１０を接続し、そして、補助筒１０を母乳収容袋２０の受け口２０ａに挿し込むようにしている。これにより、搾乳器本体３０で搾乳した母乳は、補助筒１０を介して母乳収容袋２０に充填される。
この点、母乳収容袋２０は母乳が充填されると、その重さにより補助筒１０から脱落するため、特許文献１では補助筒１０にクリップを設け、このクリップで母乳収容袋２０を挟んで脱落を防止している。
【先行技術文献】
【特許文献】
【０００４】
【特許文献１】特開２０１５−１１６４３１号公報
【発明の概要】
【発明が解決しようとする課題】
【０００５】
しかし、特許文献１のような母乳収容袋の接続構造では、補助筒１０をいちいち搾乳器本外３０に取り付けるのが面倒である。
また、脱落防止用のクリップがあるとは言え、母乳収容袋２０を吊り下げるように挟んでいるために脱落する恐れが依然残っており、特に母乳収容袋２０に母乳などが付着して滑り易くなった場合、その恐れは高まってしまう。
このような脱落を防止するには、補助筒１０やクリップの形状に合致した母乳収容袋２０を利用すればよいが、そうすると、専用の母乳収容袋２０しか使えなくなってしまい不便である。
【０００６】
本発明は、以上の事情に鑑みてなされたものであり、複数種の母乳収容袋を容易に接続し、かつ、その脱落を防止できる搾乳器本体と母乳収容袋との接続構造を提供することを目的とする。
【課題を解決するための手段】
【０００７】
上記課題は、本発明によれば、ボトルを着脱可能な着脱部を有する搾乳器本体と、前記ボトルを外した状態で前記搾乳器本体に接続される母乳収容袋との接続構造であって、前記搾乳器本体の少なくとも前記着脱部の下端部は、大きさの異なる複数の前記母乳収容袋の夫々の母乳の注入口に挿入可能な大きさとされており、前記搾乳器本体の前記挿入する部分である挿入部の外側に配置された前記母乳収容袋を、前記挿入部と協働して、重力方向と交差する方向に沿って挟持する挟持体を有する搾乳器本体と母乳収容袋との接続構造により解決される。
【０００８】
本発明の構成によれば、搾乳器本体の少なくとも着脱部の下端部は、大きさの異なる複数の母乳収容袋の夫々の母乳の注入口に挿入可能な大きさとされている。この点、着脱部はボトルの瓶口を付ける部分であって、そこには例えば搾乳した母乳の排出口を囲む等の構造がある。従って、専用の母乳収容袋でなくても、少なくとも着脱部の下端部を母乳収容袋に差し込んで、排出口から母乳収容袋に母乳を注入できる。
ここで、搾乳器本体の母乳収容袋に挿入する部分（少なくとも着脱部の下端部）である挿入部に比べて母乳収容袋の注入口が大きくても、挿入部と協働して挟持する挟持体を有するため、母乳収容袋の挿入部からの脱落を有効に防止できる。しかも、この挟持体は、重力方向と交差する方向に沿って挟持するため、より有効に母乳収容袋の脱落を防止できる。
このようにして、搾乳器本体の挿入部を母乳収容袋の注入口に挿入し、母乳収容袋は脱落が防止されつつ搾乳器本体から直接、母乳を受け取ることができるので、別途アダプターを搾乳器本体に取付ける必要がなく、容易に母乳収容袋を装着できる。
【０００９】
また好ましくは、前記挟持した状態において、前記挟持体の前記重力方向への移動を規制する規制部が前記挿入部の外面に形成されていることを特徴とする。従って、挟持体が重力方向にずれ落ちる事態を防止して、母乳収容袋の脱落を更に有効に防止できる。
【００１０】
また好ましくは、前記挟持体は、前記挟持する方向に弾性力を有することを特徴とする。従って、様々な形状を有する母乳収容袋を、弾性力をもって有効に挟持できる。
【００１１】
また好ましくは、前記挟持体は、前記母乳収容袋を介して前記挿入部を挟むようにした一対の挟持片を有し、前記一対の挟持片は、一方が互いに連結した連結部であり、他方が互いに連結されていない非連結部であることを特徴とする。
上記構成によれば、一対の挟持片は一方が互いに連結した連結部であるので、例えばクリップや洗濯バサミのようにして挿入部を挟むことができる。そして、一対の挟持片は他方が互いに連結されていない非連結部であるため、母乳収容袋の注入口が挿入部よりも相当に大きな場合であっても、該挿入部よりも大きな母乳収容袋の部分を非連結部から外側にはみ出させて挟持できる。従って、無理やり母乳収容袋の注入口全体を挟持して、注入口が波打つなどして、かえって挿入部と注入口との間に隙間が生じる事態を可及的に防止できる。
【００１２】
また好ましくは、前記連結部と接続することで前記挟持体を支持する支持アダプターを有し、前記支持アダプターは、前記挟持体を介して前記搾乳器本体を支持することで、前記母乳収容袋を略垂下可能であることが好ましい。これにより、母乳収容袋が可撓性を有していても、搾乳器本体と母乳収容袋とが接続された状態で、それをテーブル等に置くことができ、その間、他の作業ができるなど、便利である。なお、上記「略垂下」とは、母乳収容袋の底が下に全く着かない状態だけではなく、母乳収容袋の底が下に多少着く状態も含むものであり、母乳収容袋が開口部から母乳が漏れることなく概ね立っている状態を意味する。
【００１３】
また好ましくは、前記挟持体は、前記搾乳器本体の前記挿入部以外の部分を囲むことができる略リング状部を有し、前記挿入部に対して接近離間する方向にスライド可能であることを特徴とする。そうすると、挟持体をクリップのように着脱するのではなく、搾乳器本体に装着したままにし、これをスライドさせて母乳収容袋を挟持できる。従って、挟持体を探したり紛失したりする事態を回避できる。
【００１４】
また好ましくは、前記挟持体は、前記挟持する方向の外側に比べて内側が柔軟性を有することを特徴とする。このため、例えば、挟持された母乳収容袋の注入口が波打つなどし、その形態が挟持体の内側の面と多少異なっていても、柔軟性を有する部分が変形して接触面積を増やし、母乳収容袋の形状に合った挟持が可能となる。従って、挟持体による挟持を確実なものとして、母乳収容袋の脱落をより有効に防止できる。また、挟持体の内側が柔軟性を有することで、母乳収容袋の損傷も防止できる。
【００１５】
また好ましくは、前記挟持体は、前記母乳収容袋を介して前記挿入部を挟むようにした一対の挟持片を有し、前記一対の挟持片は、その両端部が互いに連結し、かつ、互いに接近及び離間する方向に弾性力を発揮する板バネであることを特徴とする。
そうすると、板バネである一対の挟持片の両端部を摘まんで、互いに接近する方向に押し込むように力を入れれば、一対の挟持片は離れる方向に広がり、その広がった空間に母乳収容袋を介して搾乳器本体の挿入部を差し込むことができる。そして、その両端部を押し込んでいる力を抜けば、板バネである一対の挟持片は互いに接近する方向に弾性力を発揮し、これにより、母乳収容袋を介して搾乳器本体の挿入部を挟持し、挿入部と協働して母乳収容袋を挟持することができる。
【発明の効果】
【００１６】
以上、本発明によれば、複数種の母乳収容袋を容易に接続し、かつ、その脱落を防止できる搾乳器本体と母乳収容袋との接続構造を提供することができる。
【図面の簡単な説明】
【００１７】
【図１】本発明の第１実施形態に係る搾乳器本体と母乳収容袋との接続構造を説明するための搾乳器の概略中央縦断面図。
【図２】図１の搾乳器本体に母乳収容袋を接続する際に用いられる各部材の斜視図。
【図３】図２の搾乳器本体と母乳収容袋とを接続した状態の部分斜視図。
【図４】図３のＡ−Ａ断面図。
【図５】搾乳器本体に母乳収容袋を接続した図３の状態とは異なる状態の部分斜視図。
【図６】第１実施形態の第１変形例に係る挟持体の平面図。
【図７】第１実施形態の第２変形例に係る挟持体の斜視図。
【図８】第１実施形態の第３変形例に係る搾乳器本体と挟持体の斜視図。
【図９】第１実施形態の第４変形例であり、図２の挟持体を支持する支持アダプターの斜視図。
【図１０】本発明の第２実施形態に係る搾乳器本体と母乳収容袋との接続構造を説明するための搾乳器本体と挟持体の側面図。
【図１１】図１０の挟持体の平面図。
【図１２】第２実施形態の第１変形例に係る挟持体の平面図。
【図１３】第２実施形態の第２変形例に係る搾乳器本体と挟持体の側面図。
【発明を実施するための形態】
【００１８】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図において付した同じ符号は同様の構成を有している。
【００１９】
〔第１実施形態〕
図１は、本発明の第１実施形態に係る搾乳器本体と母乳収容袋との接続構造を説明するための搾乳器２０の図である。
搾乳器２０は、乳児に直接母乳を与えることが困難な場合、乳頭が傷ついている場合、乳腺炎を予防する場合などに、搾乳器本体２１にボトル１１を接続して用いられる。一般的に、搾乳器本体２１とボトル１１とは着脱可能であり、使用者は搾乳器本体２１から排出される母乳を接続したボトル１１に溜め、その後、ボトル１１を搾乳器本体２１から外し、ボトル１１に乳首を付けて授乳している。なお、図１ではボトル１１を搾乳器本体２１から外した状態を図示している。
ところが、授乳時と搾乳時とは必ずしも一致するものではない。そこで、搾乳した母乳を一旦保存するため、ボトル１１の代わりに母乳収容袋（母乳保存袋、母乳保存用バッグ等とも呼ばれる）を搾乳器本体２１に接続し、搾乳した母乳を母乳収容袋に貯留することが行われている。
【００２０】
このような搾乳器本体２１と母乳収容袋との接続構造を説明する前に、先ず搾乳器２０について概説する。
本発明の搾乳器は電動式であっても構わないが、図１の搾乳器２０は一例として手動式を示している。ここでは、乳房にあてがわれる「フード部１６」、このフード部１６で囲まれた空間Ｓ１と連通した空間である連通部Ｓ２を有する「搾乳器本体２１」、この搾乳器本体２１の連通部Ｓ２に負圧を発生させる「負圧発生部材３０」、搾乳した母乳を貯留するための「ボトル１１」を有する状態を搾乳器２０と呼んでいる。
【００２１】
「フード部１６」はファネル、或いはブレストキャップ等とも言い、全体的に漏斗状とされており、搾乳時に乳房を覆う略ラッパ状の搾乳口１８と、搾乳器本体２１に着脱可能に接続される筒状部１７とを有している。搾乳口１８は、乳房が挿入される空間Ｓ１を有し、この空間Ｓ１は乳房が収まると略密閉空間とされる。そして、この密閉空間を負圧にすることで搾乳する構造となっている。
【００２２】
「搾乳器本体２１」は、比較的軽く、かつ、硬質な合成樹脂材料により成形されており、例えば、ポリプロピレン、ポリカーボネート、ポリシクロオレフィン、ポリエーテルサルフォン、ポリフェニルサルフォン等により形成されている。
搾乳器本体２１の上部は、フード部１６が装着される装着部７５と、後述する負圧発生部材３０が接続される領域を有している。
装着部７５は、その内側に通気及び搾乳した母乳の通路とされる通気路２３を有し、通気路２３は、本体２１の内側の上下に連通して形成された連通部Ｓ２と空間的に繋がっている。連通部Ｓ２は負圧が付与される領域であり、連通部Ｓ２が負圧状態になると、通気路２３を介して、フード部１６で囲まれた空間Ｓ１を負圧にできる。
【００２３】
搾乳器本体２１の高さ方向の中間部は、連通部Ｓ２を内側に有する筒状であり、上部や下部に比べて細く括れた首部１９とされている。搾乳時には、この首部１９に親指ＴＢが置かれて使用される。
搾乳器本体２１の下部は、搾乳した母乳を外部に出す排出口２７と、この排出口２７を囲むと共にボトル１１を着脱可能な着脱部２８を有する。即ち、排出口２７は着脱部２８の内側空間Ｓ３に配置されている。
【００２４】
排出口２７は、連通部Ｓ２の下端であり、ボトル１１に向かって開口した部分に弁２６を有する。弁２６はシリコーンゴム等の弾性体で形成され、先端にスリット２６ａを有している。スリット２６ａは、連通部Ｓ２を負圧状態にすると閉じ、負圧状態を解放すると開くようになっている。これにより、連通部Ｓ２を負圧状態にすると母乳を引き込み、該負圧状態を解放するとスリット２６ａが開いて、連通部Ｓ２にある母乳をボトル１１に落とすことができる。
【００２５】
着脱部２８は、その下端にボトル１１が差し込まれる開口部２８Ａを有している。また、着脱部２８の内面には雌ネジ部２５が形成され、この雌ネジ部２５に差し込まれたボトル１１の瓶口が螺合される。なお、本発明の着脱部２８とボトル１１とは着脱可能であれば螺合に限らず、その他の方法で接続されても構わない。
着脱部２８の外面は、首部１９に親指ＴＢを自然に置けるように、上側が首部１９に向かうに従って除々に細くなり、概ねドーム状とされている。これに対して、着脱部２８の外面の下端部２８Ｂは、外径寸法Ｗ１が略変わらない垂直部２２を有し、この垂直部２２の上下に凸状部２９が形成されている。凸状部２９は後述する挟持体の移動を規制するための規制部である。規制部（凸状部）２９については後で更に説明する。
【００２６】
「負圧発生部材３０」は、上記連通部Ｓ２を負圧状態の有無を生成する手段であり、搾乳器２０が電動式の場合はポンプ等が利用されるが、図の手動式の場合、ダイヤフラム２４とハンドル６１により負圧状態の有無が生成される。
ダイヤフラム３０は、全体が比較的弾性に富んだ柔軟な変形材料、例えばシリコーンゴム等であり、連通部Ｓ２の上端の開口を覆うように配置される。
ハンドル６１は、比較的軽く、かつ、硬質な合成樹脂材料により成形され、変形し難くなっており、例えばポリプロピレンから形成されている。このハンドル６１は、搾乳器本体２１の上部から延びたアーム４８の上端の支軸部４９に取り付けられ、この支軸部４９を中心に回動自在とされている。
これらダイヤフラム３０とハンドル６１とは結合部７０を介して連結され、ハンドル６１の回動操作によりダイヤフラムは変形し、連通部Ｓ２の空間の容積を変更させて、一定量の負圧を付与するようになっている。即ち、ハンドル６１は、結合部７０と連結してダイヤフラム３０を持ち上げるリフト部６１Ａと、このリフト部６１Ａから曲折して搾乳器本体２１の側面に対応して位置するレバー部６１Ｂとを有する。そして、レバー部６１Ｂの外面側にそえた指ＦＧを、上述した搾乳器本体２１の首部１９及び着脱部２８に接近するように動かすことで、ハンドル６１が支軸部４９を中心に回動し、リフト部６１Ａが結合部７０を介してダイヤフラム３０を上に持ち上げ、これにより連通部Ｓ２の空間が大きくなって負圧状態となり、母乳が搾られる。これに対し、指ＦＧの力を弱めると、ダイヤフラム３０の弾性力が発揮して、ダイヤフラム３０は元の状態に復帰し、連通部Ｓ２の負圧状態が解消されると共に弁２６が開いて、搾られた母乳はボトルに落ちる。
【００２７】
「ボトル１１」は、その瓶口の周囲に形成された雄ネジ部１１ａを有し、搾乳器本体２１の着脱部２８の内面に形成された雌ネジ部２５と螺合されることで着脱可能になっている。尚、ボトル１１は、搾乳器２０の専用品でもよいし、上述した着脱構造に適合した哺乳瓶等を利用してもよい。
ところで、本実施形態のフード部１６、ダイヤフラム３０、ハンドル６１、及びボトル１１は、好ましい態様として、搾乳器本体２１に対して着脱可能となっているが、本発明は必ずしもこれに限られず、搾乳器本体２１に対して固定されていてもよい。
【００２８】
図２は、母乳収容袋１０を搾乳器本体２１に接続する際に用いる各部材１０，２１，３３の斜視図である。なお、図２では上述したフード部１６及び負圧発生部材３０を取り外しているが、これらを搾乳器本体２１に接続した状態であっても、母乳収容袋１０を搾乳器本体２１に接続できる。
【００２９】
〔母乳収容袋について〕
母乳収容袋１０は、母乳を保存等する際に使用される袋である。具体的には、２枚の合成樹脂製フィルムを滅菌し、これらの周囲を熱融着して密封したものであり（図２では上縁部１０Ａを切断して開封した状態を示している）、開封前はその内部空間Ｓ４は清潔に密封されている。該合成樹脂製フィルムとしては、ある程度の強度があり、かつ熱可塑性がある材料を利用できる。このような材料としては、例えば、ポリエチレン及びポリプロピレンなどのポリオレフィン、ナイロン、ポリアミド、ポリ塩化ビニル等の周知のフィルムを用いることができる。このような合成樹脂製フィルムからなる母乳収容袋１０は可撓性を有し、透明又は半透明が好ましい。
【００３０】
母乳収容袋１０の上側の切り口１２より下側にはチャック部１５が形成され、開封した後であっても、内部空間Ｓ４は清潔に密封される。チャック部１５から切り口１２までの寸法は各社により異なり、１０ｍｍや４５ｍｍなど区々である。
図の母乳収容袋１０の左右の熱融着部であって、チャック部１５よりも上には、上部の切除を容易にするための上部切り込み部１８が形成されている。これにより、上部切り込み部１８を契機にして幅方向に沿って切断すれば、チャック部１５よりも上側に母乳を入れるための注入口３１が形成される。即ち、注入口３１には上述した搾乳器本体２１の少なくとも着脱部２８の下端部２８Ｂが挿入され、この着脱部２８に囲まれた排出口２７から出た母乳を注入口３１で受けることができる。図の場合、母乳収容袋１０の下端部の左右の熱融着部にも下部切り込み部１９が形成され、内部空間Ｓ４に溜められた母乳を下側から出すこともできる。
【００３１】
〔搾乳器本体について〕
搾乳器本体２１の概要は上述した通りであるが、ボトルを着脱可能な着脱部２８の少なくとも下端部２８Ｂの最大外径Ｗ３は、母乳収容袋１０の注入口３１に挿入可能な大きさとされている。
ここで、母乳収容袋１０の注入口３１は各社によりその幅寸法Ｗ２が区々である。このため、着脱部２８は、複数種の母乳収容袋１０の夫々の注入口３１に挿入可能な大きさとされている。従って、母乳収容袋１０の種類が異なっていても、少なくとも着脱部２８の下端部を注入口３１に挿入して、母乳を内部空間Ｓ４に充填できる。なお、本発明の着脱部２８は、市販されている全ての母乳収容袋に挿入できなくても構わず、複数種の母乳収容袋に挿入できればよい。
この着脱部２８には挟持体３３の重力方向の移動を規制する規制部２９が形成されているが、規制部２９については後述する。
【００３２】
〔挟持体、等について〕
挟持体３３については、図２と、搾乳器本体２１と母乳収容袋１０とを接続した状態の部分斜視図である図３と、図３のＡ−Ａ断面図である図４を用いて説明する。なお、図３は母乳収容袋１０の内側にある搾乳器本体２１が透明な母乳収容袋１０を透かして見えた状態である。
挟持体３３は、搾乳器本体２１及び母乳収容袋１０とは別体であり、図３及び図４に示すように、母乳収容袋１０の注入口３１に挿入する搾乳器本体２１の部分である挿入部（図３の場合は着脱部２８の下端部２８Ｂからその若干上までの部分）ＮＳの外側に配置された母乳収容袋１０を、挿入部ＮＳと協働して挟持する手段である。
【００３３】
本第１実施形態の挟持体３３は、母乳収容袋１０を介して挿入部ＮＳの外面を挟むようにした一対の挟持片３４，３５を有している。そして、一対の挟持片３４，３５は、図２及び図３に示すように、一方が互いに連結した連結部３６であり、他方が互いに連結していない非連結部３７であり、全体がクリップ又は洗濯バサミのような形状とされている。
このように挟持体３３は非連結部３７を有するため、図３に示すように母乳収容袋１０の注入口３１が挿入部ＮＳよりも相当に大きな場合であっても、その大きな母乳収容袋の部分１０Ｂを非連結部３７から外側にはみ出させて挟持できる。従って、無理やり母乳収容袋１０の注入口３１全体を挟持して注入口３１が波打つなどして、かえって挿入部ＮＳと注入口３１との間に隙間が生じる事態を可及的に防止できる。
なお、図３の挟持体３３は、所定の位置（上下の規制部２９の間）で挿入部ＮＳに接続された場合、一対の挟持片３４，３５の非連結部３７側の先端３４ｂ，３５ｂが互いに接触しないように、後述する狭窄部３８から先端３４ｂ，３５ｂまでの長さＬ１（図２参照）が決められている。
【００３４】
一対の挟持片３４，３５同士の間の寸法Ｗ４は、挿入部ＮＳの挟持体３３を接続しようとする部分（本実施形態の場合は下端部２８Ｂの垂直部２２）の外径Ｗ３よりも小さく形成されると共に、互いに接近する方向（挟持する方向）に発揮する所定の弾性力を有している。なお、図の挟持体３３は弾性力の高い合成樹脂で形成されているが、金属製であっても構わない。また、挟持片３４，３５の夫々は、後述する狭窄部３８から非連結部３７までが、挿入部ＮＳの外面の水平断面形状（図の場合は円形状）に対応した略円弧状を有し、全体的にはＣ字状又はＵ字状とされている。
このようにして、図３及び図４に示すように、挟持した際、挟持片３４，３５の内面３４ａ，３５ａが挿入部ＮＳに密着し、挟持体３３は挿入部ＮＳと協働して母乳収容袋１０を確実に挟持できる。
【００３５】
ところで、図２に示すように、挟持体３３の非連結部３７の位置では、挟持片３４，３５の先端３４ｂ，３５ｂが互いに離間する方向に開いて（即ち、先端に向かうに従って除々に離れるように）形成されている。これにより、この非連結部３７を挿入部ＮＳに向かって（図２のＦ方向に）押し込むと、一対の挟持片３４，３５は互いに離間する方向に開き易くなり、挟持体３３を容易に挿入部ＮＳに接続し易くなる。なお、挟持体３３を母乳収容袋１０を介して挿入部ＮＳに押し込むと、必要以上に力を入れて押し込まない限り、図３に示すように後述する狭窄部３８の位置で止まり、そして、狭窄部３８から連結部３６までの一対の挟持片３４，３５の間にも母乳収容袋１０が入っていいようになっている。
一方、母乳収容袋１０を挿入部ＮＳから外す際は、一対の挟持片３４，３５を互いに離間する方向に開いて、挟持体３３と挿入部ＮＳとの協働による挟持状態を解除又は弱めて外すことになる。この点、挟持体３３は、図２に示す長手方向の中央部ＣＴよりも連結部３６側に、一対の挟持片３４，３５同士の距離Ｗ５が狭くなった狭窄部３８を有している。図の狭窄部３８の寸法Ｗ５は非連結部３７側の先端３４ｂ，３５ｂ同士の間の寸法と同様又はそれより小さく、挟持体３３を挿入部ＮＳに向って軽く押し込んでも、狭窄部３８よりも連結部３６側に行かないようになっている。また、狭窄部３８から中央部ＣＴに向かって、一対の挟持片３４，３５は除々に互いに離間するように円弧状とされている。これにより、図３の挟持体３３の挟持状態から更に挿入部ＮＳに向かって（図のＦ方向に）押し込むと、狭窄部３８の内面に挿入部ＮＳが当たって、一対の挟持片３４，３５は更に互いが離間するように開き、挟持体３３と挿入部ＮＳとの協働による挟持力を弱めることができ、これにより母乳収容袋１０を挿入部ＮＳから外し易くなる。
【００３６】
ここで、挟持体３３は、重力方向と交差する方向に沿って母乳収容袋１０を挟持するようになっている。本実施形態の場合、挟持体３３は、重力方向と直交する水平方向に沿って母乳収容袋１０を挟持可能とされている。具体的には、搾乳器本体２１の全体的にドーム状である着脱部２８の下端部２８Ｂには、上述した垂直部２２が水平方向に沿って形成され、この垂直部２２の上下双方に水平方向に沿った凸状部である規制部２９が形成されている。従って、使用者は、この上側の規制部２９ａと下側の規制部２９ｂとの間にある垂直部２２に沿って、上述した非連結部３７を挿入部ＮＳに向かって（図のＦ方向に）押し込めば、挟持体３３は上下の規制部２９にガイドされながら、母乳収容袋１０を介して挿入部ＮＳを水平方向に沿って挟持できる。なお、上側の規制部２９ａと下側の規制部２９ｂとの間の寸法Ｈ１は、挟持片３４，３５の高さ方向の寸法Ｈ２に対応して、僅かに大きいのが好ましい。
【００３７】
このような挟持体３３の母乳収容袋１０を介した挿入部ＮＳへの接続をする際のガイドとなる規制部２９は、挟持体３３の略水平の挟持状態を維持するための凸状部でもある。即ち、規制部２９の着脱部２８の外面から突出した幅Ｄ１は、母乳収容袋１０と挟持片３４，３５が垂直部２２に保持される寸法とされている。図では、上側の規制部２９ａと下側の規制部２９ｂとの突出した幅Ｄ１は同様であるが、本発明はこれに限られず、下側の規制部２９ｂの幅Ｄ１を上側の規制部２９ａに比べて大きくしても構わない。
【００３８】
このような上側の規制部２９ａと下側の規制部２９ｂは共にリング状とされ、互いに平行に配置されている。このため、挟持体３３をどの角度からも上側の規制部２９ａと下側の規制部２９ｂとの間に押し込むことができる。従って、例えばハンドル６１が動く方向Ａ１（図１参照）と交差する方向から挟持体３３を押し込んで、挟持体３３の連結部３６が搾乳時のハンドル６１（図１参照）の動きに邪魔になる恐れを防止することができる。
【００３９】
ところで、図３に示す搾乳器本体２１に対する挟持体３３の接続位置は、着脱部２８の下端部２８Ｂであり、これにより図４に示すように、母乳収容袋１０のチャック部１５よりも上側にのみ搾乳器本体２１の挿入部ＮＳを挿入して、該上側の部分を挟持体３３と挿入部ＮＳとで挟持できる。従って、着脱部２８がチャック部１５よりも下側に挿入することなく、着脱部２８により母乳収容袋１０の内部空間Ｓ４が汚染される事態を防止できる。
なお、図３及び図４では好ましい実施形態として、母乳収容袋１０のチャック部１５よりも上側にのみ挿入部ＮＳを挿入しているが、本発明はこれに限られるものではない。搾乳器本体２１は基本的に消毒してから使用されるため、図５に示すように、挿入部ＮＳは母乳収容袋１０のチャック部１５よりも下側に挿入されても特段の問題はない。なお、図５に示すように、挟持体３３も着脱部２８の上側及び／又は首部１９に配置して、母乳収容体１０を挟持するようにしてもよい。挟持体３３の首部１９への配置を想定した場合、規制部２９を首部１９に形成するのが好ましく、また、挟持体３３の狭窄部３８から非連結部３７までの内面の形状についても、首部１９の外面の水平断面形状に対応して形成するのが好ましい。また、規制部２９の凸状部を着脱部２８の下端部２８Ｂから首部１９にかけて、挟持体３３の高さ寸法Ｈ２毎に形成してもよい。
【００４０】
〔第１実施形態の第１変形例〕
次に、図６を用いて第１実施形態の第１変形例に係る挟持体４０を説明する。図６は該挟持体４０の平面図である。図６において、図１〜図５で用いた符号と同一の符号を付した箇所は共通する構成であるから、重複した説明は省略し、以下、相違点を中心に説明する。
この挟持体４０は、全体の形状は図２の挟持体３３と同様であるが、材質のみが異なっている。
【００４１】
即ち、挟持体４０は、挟持する方向（図６の上下方向）の外側の部材４１に比べて、内側の部材４２が柔軟性を有している。例えば、外側の部材４１はＡＢＳ樹脂などであり、内側の部材４２はこれより柔軟性と弾力性のあるシリコーンゴムから形成され、二色成形となっている。
このため、挟持体４０は、例えば、挟持された母乳収容袋の注入口が波打つなどし、その形態が挟持体４０の内側の部材４２と多少異なっても、柔軟性を有する内側の部材４２が変形して、挟持された母乳収容袋の形状に合った挟持が可能となる。従って、挟持体４０による重力方向と交差する方向の挟持を確実なものとして、母乳収容袋の脱落をより有効に防止できる。また、内側の部材４２が柔軟性を有することで、母乳収容袋の損傷も防止できる。
【００４２】
〔第１実施形態の第２変形例〕
次に、図７を用いて第１実施形態の第２変形例に係る挟持体４５を説明する。図７は該挟持体４５の斜視図である。図７において、図１〜図６で用いた符号と同一の符号を付した箇所は共通する構成であるから、重複した説明は省略し、以下、相違点を中心に説明する。
この挟持体４５は、一対の挟持片４６，４７が板バネから形成されている点等が異なっている。
【００４３】
具体的には、板バネからなる一対の挟持片４６，４７は図２に示す挟持体３３と同様に、一方の端部４６ａ，４７ａ同士が連結された連結部４５Ａであるのに対して、他方の端部４６ｂ，４７ｂ同士は連結されていない非連結部４５Ｂである。なお、連結部４５Ａでは、一方の端部４６ａ，４７ａ同士はピン４８を介して連結している。
そして、図７の挟持片４６，４７は、互いに接近及び離間する方向に可撓性及び弾力性を有し、図７の一点鎖線のように互いに離間することで、図２の挿入部ＮＳを母乳収容袋１０を介して挟持するように接続可能となる。また、図７の一対の挟持片４６，４７は、その間に所定の空間Ｓ５ができるように円弧状部４６ｃ，４７ｃを有している。この円弧状部４６ｃ，４７ｃが、図２の挿入部ＮＳに母乳収容袋１０を介して接続される部分であり、板バネの弾性力により挿入部ＮＳと協働して母乳収容袋１０を挟持できる。
また、挟持片４６，４７は、円弧状部４６ｃ，４７ｃから非連結部４５Ｂに向かって延伸した延伸部４６ｄ，４７ｄを有している。この延伸部４６ｄ，４７ｄは、円弧状部４６ｃ，４７ｃでは挟持し切れなかった母乳収容袋の注入口の部分を挟持する部位であり、延伸部４６ｄ，４７ｄ同士は略接触しているため、母乳収容袋の注入口の全体を概ね閉じることができ、該注入口から埃等が入る事態を防止することができる。
【００４４】
ところで、この第２変形例では、他方の端部４６ｂ，４７ｂ同士は連結されていないが、二点鎖線で囲った図に示すように、連結部４５Ａと同様、他方の端部４６ｂ，４７ｂ同士もピン４８を介して連結されてもよい。この場合、一対の板バネ４６，４７は、ピン４８の周りを回動可能とするのが好ましい。これにより、挟持体４５の長手方向の両端を中央に向かって（図のＦ１方向に）押し込むことで、板バネ４６，４７同士が離間するように作用して、その間に図３の挿入部ＮＳ及び母乳収容袋１０を挟むことができる。
【００４５】
〔第１実施形態の第３変形例〕
次に、図８を用いて第１実施形態の第３変形例に係る搾乳器本体５０及び挟持体５１を説明する。図８は該搾乳器本体５０と挟持体５１の斜視図である。図８において、図１〜図７で用いた符号と同一の符号を付した箇所は共通する構成であるから、重複した説明は省略し、以下、相違点を中心に説明する。
この搾乳器本体５０と挟持体５１は、挟持体５１の重力方向の移動を規制する規制手段５２のみが異なり、その他の構成は同じである。
【００４６】
即ち、本変形例の規制手段５２は、搾乳器本体５０の挿入部ＮＳの外面に対して水平方向に沿って複数形成された凸部５３、及び挟持体５１の一対の挟持片３４，３５の内面に形成された複数の凹部５４によりなっている。これにより、挟持体５１を母乳収容袋を介して挿入部ＮＳに接続すると、挿入部ＮＳの外面に形成された複数の凸部５３と、挟持体５１の内面に形成された複数の凹部５４とが係合して、挟持体５１の水平方向の挟持状態が維持される。なお、挿入部ＮＳの外面に凹部を、挟持体５１の内面にこの凹部と係合される凸部を設けるようにしてもよい。
【００４７】
〔第１実施形態の第４変形例〕
次に、図９を用いて第１実施形態の第４変形例について説明する。図９は図２の挟持体３３を支持する支持アダプター５５の斜視図である。図９において、図１〜図８で用いた符号と同一の符号を付した箇所は共通する構成であるから、重複した説明は省略し、以下、相違点を中心に説明する。
図９の搾乳器本体２１と母乳収容袋１０との接続構造では、搾乳器本体２１、母乳収容袋１０、挟持体３３自体は図１〜図５で説明したものと同じであり、搾乳器本体２１と母乳収容袋１０とが接続した状態で、挟持体３３を介して搾乳器本体２１及び母乳収容袋１０をリフトしている点が異なる。
【００４８】
即ち、本第４変形例では、挟持体３３の連結部３６と接続することで挟持体３３を支持する支持アダプター５５を有している。支持アダプター５５は、挟持体３３を介して搾乳器本体２１を支持することで、母乳収容袋１０を略垂下可能としている。
図の場合、支持アダプター５５は、挟持体３３が接続される接続部５６と、挟持体３３を所定の高さに配置するための柱部５７と、この柱部５７を自立させるための台座部５８とを有する。
【００４９】
接続部５６は、挟持体３３を柱部５７に接続する部分であり、この接続は着脱式でもよいし、或いは、固定式でもよい。図の場合、より好ましい態様として着脱式を採用しており、接続部５６は柱部５７の先端面に形成され、挟持体３３の連結部３６が嵌合する溝状とされている。そして、挟持体３３の連結部３６が柱部５７に接続されると、少なくとも一対の挟持片３４，３５が片持ち式に水平方向に沿って支持される。なお、本発明の連結部３６と柱部５７と接続は、図の方式に限られるものではなく、例えばネジ止めやリベット締めであってもよい。
【００５０】
柱部５７は棒状又は板状であって、挟持体３３を所定の高さに配置する長さＬ２を有している。本変形例では、長さＬ２は、市販されている複数種の母乳収容袋の内、長さが大きい母乳収容袋１０の底が下に着かない程度の寸法にされている。なお、本発明の柱部５７はこのような態様に限られるものではなく、母乳収容袋１０の底が少し下に着く長さであってもよいし、或いは、長さＬ２を調整自在にしても構わない。
【００５１】
台座部５８は、図の場合、柱部５７を垂直に自立可能にするための部材であり、平面視がＣ字状又はＵ字状とされている。なお、本発明の台座部５８の形状はこれに限られるものではなく、単なる平板状であっても構わない。また、柱部５７が台座部５８に対して垂直に自立しておらず、傾斜して自立していても構わない。
【００５２】
以上の支持アダプター５５により、挟持体３３を介して搾乳器本体２１を所定の高さで支持できるので、母乳収容袋１０が可撓性を有する部材であるため自立不可能であっても、搾乳器本体２１と母乳収容袋１０とが接続された状態で、これをテーブル等に置くことができる。
【００５３】
〔第２実施形態〕
図１０及び図１１は、本発明の第２実施形態に係る搾乳器本体２１と母乳収容袋１０との接続構造を説明するための図であり、図１０は搾乳器本体２１と挟持体６０の側面図、図１１は図１０の挟持体６０の平面図である。これらの図において、図１〜図９で用いた符号と同一の符号を付した箇所は共通する構成であるから、重複した説明は省略し、以下、相違点を中心に説明する。
この第２実施形態に係る搾乳器本体２１と母乳収容袋１０との接続構造が、第１実施形態と異なるのは、概ね挟持体６０の構成である。
【００５４】
即ち、第２実施形態の挟持体６０は、搾乳器本体２１の挿入部ＮＳ以外の部分を囲むことができる略リング状部とされ、かつ、挿入部ＮＳに対して接近離間する方向（図の上下方向Ｙ）にスライド可能とされている。
図の場合の挟持体６０は平面視が円形状であり、その内径Ｗ６が着脱部２８の下端部２８Ｂにおける上側の規制部２９ａと下側の規制部２９ｂとの間の外径Ｗ１と同じか又は僅かに大きく形成されている。これにより、着脱部２８は概ねドーム状であるため、着脱部２８の下端部２８Ｂから首部１９にかけて上下方向Ｙにスライド可能となる。また、挟持体６０の高さＨ３は、上側の規制部２９ａと下側の規制部２９ｂとの間の高さＨ１と同じか又は僅かに小さい。なお、挟持体６０の厚みＤ２は、破損しない範囲で可及的に薄いのが好ましい。
【００５５】
挟持体６０の内径Ｗ６は、着脱部２８の下端部２８Ｂにおける規制部２９の外径Ｗ３よりも小さく、挟持体６０のスライドは制限される。具体的には、上側の規制部２９ａはシリコーンゴムなどの柔軟性と弾性力を有する材料で形成されており、挟持体６０を下側に力を加えてスライドさせると、挟持体６０は上側の規制部２９ａを乗り越えることが可能である。これに対して、下側の規制部２９ｂは、上側の規制部２９ａに比べて硬質な材料、例えばＡＢＳ樹脂などで形成されている。これにより、挟持体６０は、スライドさせて上側の規制部２９ａを一旦乗り越えると、上側の規制部２９ａと下側の規制部２９ｂとの間に係止されることになる。
なお、本発明はこのような態様に限られるものではなく、例えば、上側の規制部２９ａも硬質な材料で形成しても構わない（この際、リング状の上側の規制部２９ａは、リング状の下側の規制部２９ｂに比べて外径を小さくして、挟持体６０を乗り越え可能とするのが好ましい）。或いは、全ての規制部２９を硬質な材料で形成し、挟持体６０の方をシリコーンゴムなどの柔軟性と弾性力を有する材料で形成しても構わない。
【００５６】
本第２実施形態に係る搾乳器本体２１と母乳収容袋１０との接続構造は以上のように構成されている。このため、使用者は、着脱部２８の下端部２８Ｂより外径が小さな首部１９や着脱部２８の上部に挟持体６０を配置して、図１０のように母乳収容袋１０を挟持体６０の内側に通すことができる。そして、挟持体６０を下側に力を加えると、挟持体６０はスライドして上側の規制部２９ａを一旦乗り越え、上側の規制部２９ａと下側の規制部２９ｂとの間に係止される。従って、上側の規制部２９ａと下側の規制部２９ｂとの間（本実施形態の場合、垂直部２２）と挟持体６０とで協働して母乳収容袋１０を挟んで、母乳収容袋１０を搾乳器本体２１に接続できる。
【００５７】
なお、搾乳器本体２１にボトルを接続して搾乳する場合、挟持体６０は上側の規制部２９ａと下側の規制部２９ｂとの間に留置しておくのが好ましい。この際、挟持体６０及び／又は規制部２９がシリコーンゴムなどの弾性力を有する材料であると、グリップ力が生じ、搾乳時における滑りを防止できるため好ましい。
また、挟持体６０は、搾乳器本体２１からフード部１６と負圧発生部材３０を取り外せば、搾乳器本体２１から取り外すこともでき、消毒の際に取り外して内側を消毒することもできる。
更に、挟持体６０がシリコーンゴムなどの弾性力を有する材料であると、ハンドル６１を回動させて搾乳器本体２１に接近させた際、ハンドル６１が上側の規制部２９ａと下側の規制部２９ｂとの間にある挟持体６０に衝突し、該衝突音を減少させることもできる。
【００５８】
〔第２実施形態の第１変形例〕
次に、図１２を用いて第２実施形態の第１変形例に係る挟持体６２について説明する。図１２はこの挟持体６２の平面図である。図１２において、図１〜図１１で用いた符号と同一の符号を付した箇所は共通する構成であるから、重複した説明は省略し、以下、相違点を中心に説明する。
図１２の挟持体６２が図１１の挟持体６０と異なるのは、完全なリング状ではなく、一部に切り欠き部又はスリット６４が形成されている点である。
これにより、図３のように母乳収容袋１０の注入口３１が挿入部ＮＳの外径よりも相当に大きな場合であっても、図１２の挟持体６２の切り欠き部又はスリット６４から、その大きな部分を外側にはみ出させて挟持できる。
【００５９】
〔第２実施形態の第２変形例〕
次に、図１３を用いて第２実施形態の第２変形例について説明する。図１３は該第２変形例に係る搾乳器本体２１と挟持体６５の側面図である。図１３において、図１〜図１２で用いた符号と同一の符号を付した箇所は共通する構成であるから、重複した説明は省略し、以下、相違点を中心に説明する。
図１３の搾乳器本体２１と母乳収容袋との接続構造では、搾乳器本体２１の着脱部２８の下端部２８Ｂと挟持体６５の形状が図１１とは異なる。
【００６０】
即ち、本第２変形例では、搾乳器本体２１の着脱部２８の外面には、図２に示す凸状部（規制手段）２９や垂直部２２がなく、着脱部２８は全体が略ドーム状とされている（即ち、下側に向って外径が除々に大きくなっている）。
一方、挟持体６５は、この着脱部２８の外面に対応した形状とされており、かつ、厚みを除く内径寸法Ｗ７は着脱部２８の下縁部の外径寸法Ｗ８よりも小さくなっている。
これにより挟持体６５を下側にスライドさせると、着脱部２８の下縁部で止まって挟持体６５の脱落を防止できる。このように、本第２変形例では着脱部２８の外面そのものが、挟持体６５の移動を規制するための規制手段となる。
そして、挟持体６５の内面６５ａも外面６５ｂも着脱部２８の少なくとも下端部２８Ｂと略相似であり、これにより、挟持体６５の内面６５ａと着脱部２８の外面とで母乳収容袋を確実に挟持できる。また、搾乳をする際、挟持体６５が邪魔になることも可及的に回避できる。
【００６１】
ところで本発明は上記実施の形態に限定されるものではなく、上述の実施形態の個別の構成は、必要により省略したり、説明しない他の構成と組み合わせたりしてもよい。
例えば、図３の挟持体３３は、水平方向に沿って母乳収容袋１０を挟持しているが、水平方向から所定の角度を有し、重力方向と交差する方向に沿って挟持するようにしても構わない。
また、図２や図３の規制手段２９は、好ましい態様として上下双方に形成されているが、下側の規制部２９ｂだけであっても構わない。
また、図１３の挟持体６５について、外面の部材に比べて、内面の部材を弾力性のある材料（例えばシリコーンゴム）から形成してもよい。これにより、内面の部材の弾力性でグリップ力を発揮し、母乳収容袋の脱落をより有効に防止できるし、ハンドル６１を挟持体６５に衝突させて、衝突音を低減できる。
なお、本発明では、上述した各図の挟持体３３，４０，４５，５１，６０，６２，６５（特に、図１０〜図１３の挟持体６０，６２，６５）を搾乳器の一部品とし、上述した挟持体３３，４０，４５，５１，６０，６２，６５を備えた搾乳器と把握することも勿論できる。
【符号の説明】
【００６２】
１０・・・母乳収容袋、１１・・・ボトル、２０・・・搾乳器、２１・・・搾乳器本体、２７・・・排出口、２８・・・着脱部、２８Ｂ・・・着脱部の下端部、２９・・・規制手段、３１・・・注入口、３３，４０，４５，５１，６０，６２，６５・・・挟持体、３４，３５・・・挟持片、３６・・・連結部、３７・・・非連結部、５５・・・支持アダプター、ＮＳ・・・挿入部
【図１】
2018117884.tif 000003
【図２】
2018117884.tif 000004
【図３】
2018117884.tif 000005
【図４】
2018117884.tif 000006
【図５】
2018117884.tif 000007
【図６】
2018117884.tif 000008
【図７】
2018117884.tif 000009
【図８】
2018117884.tif 000010
【図９】
2018117884.tif 000011
【図１０】
2018117884.tif 000012
【図１１】
2018117884.tif 000013
【図１２】
2018117884.tif 000014
【図１３】
2018117884.tif 000015